(57)【要約】      （修正有）【課題】寝具のマットレスに用いるマットレス・ティッキング用ジャカード編地及びその編成方法を提供する。【解決手段】リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作るマットレス・ティッキング用ジャカード編地の製造方法である。ベースとなるバックグラウンドの編組織を変則的な綾柄とすることで織物のようにコシのあり、編み組織がしっかりした伸縮性のあるソフトで手触りの柔らかい編地が得られる。【選択図】図１ａ
2018061632.tif 000002
【特許請求の範囲】
【請求項１】
リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作ることを特徴とするマットレス・ティッキング用ジャカード編地の製造方法において、
少なくとも４フィーダで１リピートを構成する編組織であって、
(i)第１、３フィーダではコース方向に編糸を、シリンダー針で２針連続してニットし１針ウエルトして、ダイヤル側に移しダイヤル針で２針連続してニットし、以下繰り返す、
(ii)第２、４フィーダではコース方向に編糸を、ジャガード組織が表現されるシリンダー側と対向するダイヤル側のダイヤル針で１針ニットし３針ウエルトし、以下を繰り返す、
前記(i)(ii)を有するマットレス・ティッキング用ジャカード編地のバックグラウンド組織の製造方法。
【請求項２】
請求項１に記載の方法であって、(i)において基準となる位置から少なくとも１針ずらして、複数のフィーダで２針連続ニットの綾柄を形成するマットレス・ティッキング用ジャカード編地のバックグラウンド組織の製造方法。
【請求項３】
請求項１又は２に記載の方法であって、(ii)において基準となる位置から少なくとも１針ずらして、複数のフィーダで１針ニットの綾柄を形成するマットレス・ティッキング用ジャカード編地のバックグラウンド組織の製造方法。
【請求項４】
リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作ることを特徴とするマットレス・ティッキング用ジャカード編地の製造方法において、
基準となる位置からコース方向に編糸を、
第１フィーダではシリンダー針で２針連続してニットし１針ウエルトして、ダイヤル側に移しダイヤル針で２針連続してニットし、以下繰り返す、
第２フィーダではダイヤル針で２針連続してウエルトして１針ニットし１針ウエルトし、以下繰り返す、
第３フィーダでシリンダー針で１針ウエルトしダイヤル側に移しダイヤル針で２針連続してニットし、シリンダー側に移しシリンダー針で２針連続してニットし、以下繰り返す、
第４フィーダでダイヤル針で１針ウエルトし１針ニットし２針連続してウエルトし、以下繰り返す、
第５フィーダではダイヤル針で１針ニットしシリンダー側に移しシリンダー針で２針連続してニットし１針ウエルトして、ダイヤル側に移しダイヤル針で１針ニットし、以下繰り返す、
第６フィーダではダイヤル針で３針連続してウエルトし１針ニットし、以下繰り返す、
第７フィーダではシリンダー針で１針ニットし１針ウエルトして、ダイヤル側に移しダイヤル針で２針連続してニットしシリンダー側に移しシリンダー針で１針ニットし、以下繰り返す、
第８フィーダでは第２フィーダと同様にする、
第９フィーダでは第３フィーダと同様にする、
第１０フィーダではダイヤル針で１針ニットし３針連続してウエルトし、以下繰り返す、
第１１フィーダでは第１フィーダと同様にする、
第１２フィーダでは第６フィーダと同様にする、
第１３フィーダでは第７フィーダと同様にする、
第１４フィーダでは第４フィーダと同様にする、
第１５フィーダでは第５フィーダと同様にする、
第１６フィーダでは第１０フィーダと同様にする、
以下フィーダ（ウエール）方向に繰り返すマットレス・ティッキング用ジャカード編地のバックグラウンド組織の製造方法。
【請求項５】
請求項４に記載の方法であって、第２，６，１０，１４フィーダにおいてａ色で、第４，８，１２，１６フィーダにおいてｂ色で編成したジャガード組織と、それら以外の第１，３，５，７，９，１１，１３，１５フィーダにおいてｃ色で編成したバックグラウンド組織とにより、シリンダー側にバックグラウンド組織及びジャガード組織からなるジャガード柄を形成するマットレス・ティッキング用ジャカード編地の製造方法。
【請求項６】
請求項１ないし５のいずれかに記載の方法であって、第１フィーダと第２フィーダ、第３フィーダと第４フィーダ、第５フィーダと第６フィーダ、第７フィーダと第８フィーダ、第９フィーダと第１０フィーダ、第１１フィーダと第１２フィーダ、第１３フィーダと第１４フィーダ、第１５フィーダと第１６フィーダの間から中糸であるレイイン糸を挿入するマットレス・ティッキング用ジャカード編地の製造方法。
【請求項７】
請求項１ないし６のいずれかに記載の方法であって、シリンダー針とダイヤル針の選針を逆に選針するマットレス・ティッキング用ジャカード編地のバックグラウンド組織の製造方法。
【請求項８】
請求項１ないし７のいずれかに記載の方法によって得られるマットレス・ティッキング用ジャカード編地。
【請求項９】
マットレス・ティッキング用リブ編地であって、任意のコースでリブ組織の表面に２目（ループ）連続して形成され１目飛ばして裏面に２目連続して形成され以下繰り返されている、別のコースで裏面に３目連続して飛ばし１目形成され以下繰り返されている、少なくとも前記の２コースを含むマットレス・ティッキング用ジャカード編地。
【請求項１０】
請求項９に記載の編地であって、基準となる位置（奇数コースでは基準となる表目、偶数コースでは前記表目に対向する右側の裏目）からコース方向に編糸が、
第１コースでは表目で２目（ループ）連続してニットで１目ウエルトで、裏目側に移し裏目で２目連続してニットで、以下繰り返されている、
第２コースでは裏目で２目連続してウエルトで１目ニットで１目ウエルトで、以下繰り返されている、
第３コースでは表目で１目ウエルトで裏目側に移し裏目で２目連続してニットで、表目側に移し表目で２目連続してニットで、以下繰り返されている、
第４コースでは裏目で１目ウエルトで１目ニットで２目連続してウエルトで、以下繰り返されている、
第５コースでは裏目で１目ニットで表目側に移し表目で２目連続してニットで１目ウエルトで、裏目側に移し裏目で１目ニットで、以下繰り返されている、
第６コースでは裏目で３目連続してウエルトで１目ニットで、以下繰り返されている、
第７コースでは表目で１目ニットで１目ウエルトで、裏目側に移し裏目で２目連続してニットで表目側に移し表目で１目ニットで、以下繰り返されている、
第８コースでは第２コースと同様にする、
第９コースでは第３コースと同様にする、
第１０コースでは裏目で１目ニットで３目連続してウエルトで、以下繰り返されている、
第１１コースでは第１コースと同様にする、
第１２コースでは第６コースと同様にする、
第１３コースでは第７コースと同様にする、
第１４コースでは第４コースと同様にする、
第１５コースでは第５コースと同様にする、
第１６コースでは第１０コースと同様にする、
以下ウエール方向に上記第1〜第１６コースが繰り返されているマットレス・ティッキング用ジャカード編地。
【発明の詳細な説明】
【技術分野】
【０００１】
本発明は両面選針ジャガード編地であって、特に寝具のマットレスに用いるマットレス・ティッキング（mattress ticking）用ジャカード編地及びその編成方法に関する。
【背景技術】
【０００２】
一般的な両面選針丸編機で編成されるジャガード編地及びその編成方法の従来技術について、例えば、特開２００３−２８６６３６に係る「ジャガードダンボールニット編地、及びその編成方法」が公知である。
【０００３】
この従来技術公報は、編地表面に（ａ）ニット・ウエルトの１×１ロングステッチジャガード柄（ｂ）ニット・タックの１×１鹿の子ロングステッチジャガード柄（ｃ）ニット・ウエルトの少なくとも２色のジャガード柄、前記（ａ）−（ｃ）のうち、少なくとも１つのジャガード柄を出現させた編地及びその編成方法を記載している。
【先行技術文献】
【特許文献】
【０００４】
【特許文献１】特開２００３−２８６６３６（対応欧州出願EP1348788(A1)）
【発明の概要】
【発明が解決しようとする課題】
【０００５】
上記特許文献１に記載の編地は、スペーサ・ファブリックであって生地が厚すぎて、手触りも柔らかくなく寝具のマットレスに用いるマットレス・ティッキングの生地としては適していない。マットレス・ティッキングには織物のようにコシのあり、編み組織がしっかりした伸縮性のあるソフトで手触りの柔らかい編地が望まれている。
【０００６】
本発明は、この問題を解決するために行われたもので、寝具のマットレスに用いるマットレス・ティッキング用ジャカード編地及びその編成方法を提供することを目的とする。
【０００７】
本発明者らはマットレス・ティッキング用ジャカード編地に適応した編地を得るために、種々の編地を試行錯誤しながら編成し、本発明に到達した。
【課題を解決するための手段】
【０００８】
本発明は、リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作ることを特徴とするマットレス・ティッキング用ジャカード編地の製造方法において、
図７に示すように、少なくとも４フィーダで１リピートを構成する編組織であって、
(i)第１、３フィーダではコース方向に編糸を、シリンダー針で２針連続してニットし１針ウエルトして、ダイヤル側に移しダイヤル針で２針連続してニットし、以下繰り返す、
(ii)第２、４フィーダではコース方向に編糸を、ジャガード組織が表現されるシリンダー側と対向するダイヤル側のダイヤル針で１針ニットし３針ウエルトし、以下を繰り返す、
前記(i)(ii)を有するマットレス・ティッキング用ジャカード編地のバックグラウンド組織の製造方法である（請求項１）。
【０００９】
前記 (i)において基準となる位置から少なくとも１針ずらして、複数のフィーダで２針連続ニットの綾柄を形成することができる（請求項２）。
【００１０】
前記 (ii)において基準となる位置から少なくとも１針ずらして、複数のフィーダで１針ニットの綾柄を形成することもできる（請求項３）。
【００１１】
本発明は、別の見方では、リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合わせることにより任意の部分に任意の編組織を作ることを特徴とするマットレス・ティッキング用ジャカード編地の製造方法において、
図１ａ、１ｂに示すように、図１ａ、１ｂの一点鎖線で示す基準となる位置からコース方向に編糸を、
第１フィーダではシリンダー針で２針連続してニットし１針ウエルトして、ダイヤル側に移しダイヤル針で２針連続してニットし、以下繰り返す、
第２フィーダではダイヤル針で２針連続してウエルトして１針ニットし１針ウエルトし、以下繰り返す、
第３フィーダではシリンダー針で１針ウエルトしダイヤル側に移しダイヤル針で２針連続してニットし、シリンダー側に移しシリンダー針で２針連続してニットし、以下繰り返す、
第４フィーダではダイヤル針で１針ウエルトし１針ニットし２針連続してウエルトし、以下繰り返す、
第５フィーダではダイヤル針で１針ニットしシリンダー側に移しシリンダー針で２針連続してニットし１針ウエルトして、ダイヤル側に移しダイヤル針で１針ニットし、以下繰り返す、
第６フィーダではダイヤル針で３針連続してウエルトし１針ニットし、以下繰り返す、
第７フィーダではシリンダー針で１針ニットし１針ウエルトして、ダイヤル側に移しダイヤル針で２針連続してニットしシリンダー側に移しシリンダー針で１針ニットし、以下繰り返す、
第８フィーダでは第２フィーダと同様にする、
第９フィーダでは第３フィーダと同様にする、
第１０フィーダではダイヤル針で１針ニットし３針連続してウエルトし、以下繰り返す、
第１１フィーダでは第１フィーダと同様にする、
第１２フィーダでは第６フィーダと同様にする、
第１３フィーダでは第７フィーダと同様にする、
第１４フィーダでは第４フィーダと同様にする、
第１５フィーダでは第５フィーダと同様にする、
第１６フィーダでは第１０フィーダと同様にする、
以下フィーダ（ウエール）方向に繰り返すマットレス・ティッキング用ジャカード編地のバックグラウンド組織の製造方法である（請求項４）。
【００１２】
本方法においては、シリンダー側とダイヤル側とを逆にして編成することも可能である（請求項７）。
【００１３】
好ましくは、編糸は、第２，６，１０，１４フィーダにおいて、ブライト・ポリエステル糸のａ色で編成する。第４，８，１２，１６フィーダにおいて、ブライト・ポリエステル糸のｂ色で編成する。第１，３，５，７，９，１１，１３，１５フィーダではスパン・ポリエステル糸のｃ色で編成する（請求項５）。
【００１４】
また、好ましくは、第１フィーダと第２フィーダ、第３フィーダと第４フィーダ、第５フィーダと第６フィーダ、第７フィーダと第８フィーダ、第９フィーダと第１０フィーダ、第１１フィーダと第１２フィーダ、第１３フィーダと第１４フィーダ、第１５フィーダと第１６フィーダの間から中糸であるレイイン糸を挿入する（請求項６）。
【００１５】
本発明は、上記方法により製造される編地も含む（請求項８）。本発明のマットレス・ティッキング用ジャカード編地は、1枚の編地の中にバックグラウンド組織の部分とジャガード組織の部分が混在している。
【発明の効果】
【００１６】
本発明によれば、ベースとなるバックグラウンドの編組織を変則的な綾柄とすることで、織物のようにコシのあり、編み組織がしっかりした伸縮性のあるソフトで手触りの柔らかい編地となる。さらに、編地の表面にブライト・ポリエステル糸及びスパン・ポリエステル糸を使用することで、光沢がある部分のジャガード組織及び光沢が無い部分のバックグラウンド組織が得られ意匠性のあるマットレス・ティッキングに最適な編地が得られる。
【図面の簡単な説明】
【００１７】
【図１ａ】実施例１のバックグラウンド組織を示す編地分解図である。
【図１ｂ】実施例１のバックグラウンド組織を示す編地分解図（続き）である。
【図２ａ】実施例１のバックグラウンド組織及びジャガード組織を示す編地分解図である。
【図２ｂ】実施例１のバックグラウンド組織及びジャガード組織を示す編地分解図（続き）である。
【図３ａ】実施例１のバックグラウンド組織を示す柄展開図である。
【図３ｂ】実施例１のバックグラウンド組織（BG）及びジャガード組織（J）を示す柄展開図である。
【図４】実施例１の第１フィーダから第４フィーダまでの４本の糸を重ね合わせたジャガード組織を示す編地分解図である。
【図５ａ】比較例１のバックグラウンド組織を示す編地分解図である。
【図５ｂ】比較例１のバックグラウンド組織を示す編地分解図（続き）である。
【図６ａ】比較例１のバックグラウンド組織（BG）及びジャガード組織（J）を示す編地分解図である。
【図６ｂ】比較例１のバックグラウンド組織（BG）及びジャガード組織（J）を示す編地分解図（続き）である。
【図７】実施例２のバックグラウンド組織を示す編地分解図である。
【発明を実施するための形態】
【００１８】
以下、添付の図面に基づき、本発明の実施例を説明する。
【００１９】
織物調マットレス・ティッキング用ジャカード編地
ダブルニットのコンピュータ丸編機（福原精機製作所製  V-LEC6DSIB  ３６インチ  ２８ゲージ  ６０フィーダ）を使用して編成した編地である。両面選針丸編機を使用しているので、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作ることが可能である。
【００２０】
図１a、１ｂ、図２ａ、２ｂ、及び、図３a、３ｂの編地分解図では、シリンダー針とダイヤル針の出合いはリブ出合いとし、説明の便宜上、シリンダー針は、右から左へＢ針・Ｃ針・Ｄ針・Ｅ針の順序で配列し、ダイヤル針も同様に、右から左へＢ針・Ｃ針・Ｄ針・Ｅ針の順序で配列する。ダイヤルのＥ針とＢ針の間にシリンダーのＢ針がリブ出合いとなるように設定されている。
【実施例１】
【００２１】
実施例１では３色ジャガード柄の編地を以下の手順で編成する。第２，６，１０，１４フィーダにおいて、ブライト・ポリエステル糸の１６７デシテックスのａ色で編成する。第４，８，１２，１６フィーダにおいて、ブライト・ポリエステル糸の１６７デシテックスのｂ色で編成する。第１，３，５，７，９，１１，１３，１５フィーダではスパン・ポリエステル糸の３０番手のｃ色で編成する。これらの３色を使用して、編地の表面（シリンダー側）に、ｃ色でのバックグラウンド組織、及び、ａ色及びｂ色でのジャガード組織からなるジャガード柄を出現させる。また、中糸（lay-in yarn）は袋編部分の中綿としてテクスチャード・ポリエステルの１２２デシテックスを挿入する。
【００２２】
図１ａ，１ｂは実施例１のバックグラウンド組織の編地分解図を示している。
【００２３】
図２ａ，２ｂは実施例１のバックグラウンド組織（BG）及びジャカード組織（J）を出現させる編地分解図を示している。
【００２４】
第１フィーダでは、シリンダー側において、バックグラウンド組織を編む箇所はシリンダーのＢ針、Ｃ針をニットし、Ｄ針、Ｅ針をウエルトする。また、ジャガード組織を編む箇所はシリンダーの全ての針をウエルトする。一方、ダイヤル側において、バックグラウンド組織及びジャガード組織のいずれもダイヤルのＣ針、Ｄ針をニットし、Ｂ針、Ｅ針をウエルトする。
【００２５】
第２フィーダでは、シリンダー側において、バックグラウンド組織を編む箇所はシリンダーの全ての針をウエルトする。また、ジャガード組織を編む箇所はシリンダーのＢ針、Ｄ針をニットし、Ｃ針、Ｅ針をウエルトする。一方、ダイヤル側において、バックグラウンド組織及びジャガード組織のいずれもダイヤルのＤ針をニットし、Ｂ針、Ｃ針、Ｅ針をウエルトする。
【００２６】
第１フィーダと第２フィーダの間でシリンダーとダイヤルの羽口（verge）の間から中糸を挿入する。
【００２７】
第３フィーダでは、シリンダー側において、バックグラウンド組織を編む箇所はシリンダーのＤ針、Ｅ針をニットし、Ｂ針、Ｃ針をウエルトする。また、ジャガード組織を編む箇所はシリンダーの全ての針をウエルトする。一方、ダイヤル側において、バックグラウンド組織及びジャガード組織のいずれもダイヤルのＢ針、Ｅ針をニットし、Ｃ針、Ｄ針をウエルトする。
【００２８】
第４フィーダでは、シリンダー側において、バックグラウンド組織を編む箇所はシリンダーの全ての針をウエルトする。また、ジャガード組織を編む箇所はシリンダーのＣ針、Ｄ針をニットし、Ｂ針、Ｅ針をウエルトする。一方、ダイヤル側において、バックグラウンド組織及びジャガード組織のいずれもダイヤルのＥ針をニットし、Ｂ針、Ｃ針、Ｄ針をウエルトする。
【００２９】
第３フィーダと第４フィーダの間でシリンダーとダイヤルの羽口の間から中糸を挿入する。
【００３０】
第５フィーダでは、シリンダー側において、バックグラウンド組織を編む箇所はシリンダーのＢ針、Ｅ針をニットし、Ｃ針、Ｄ針をウエルトする。また、ジャガード組織を編む箇所はシリンダーの全ての針をウエルトする。一方、ダイヤル側において、バックグラウンド組織及びジャガード組織のいずれもダイヤルのＢ針、Ｃ針をニットし、Ｄ針、Ｅ針をウエルトする。
【００３１】
第６フィーダでは、シリンダー側において、バックグラウンド組織を編む箇所はシリンダーの全ての針をウエルトする。また、ジャガード組織を編む箇所はシリンダーのＣ針、Ｅ針をニットし、Ｂ針、Ｄ針をウエルトする。一方、ダイヤル側において、バックグラウンド組織及びジャガード組織のいずれもダイヤルのＣ針をニットし、Ｂ針、Ｄ針、Ｅ針をウエルトする。
【００３２】
第５フィーダと第６フィーダの間でシリンダーとダイヤルの羽口の間から中糸を挿入する。
【００３３】
第７フィーダでは、シリンダー側において、バックグラウンド組織を編む箇所はシリンダーのＣ針、Ｄ針をニットし、Ｂ針、Ｅ針をウエルトする。また、ジャガード組織を編む箇所はシリンダーの全ての針をウエルトする。一方、ダイヤル側において、バックグラウンド組織及びジャガード組織のいずれもダイヤルのＤ針、Ｅ針をニットし、Ｂ針、Ｃ針をウエルトする。
【００３４】
第８フィーダでは、シリンダー側において、バックグラウンド組織を編む箇所はシリンダーの全ての針をウエルトする。また、ジャガード組織を編む箇所はシリンダーのＢ針、Ｃ針をニットし、Ｄ針、Ｅ針をウエルトする。一方、ダイヤル側において、バックグラウンド組織及びジャガード組織のいずれもダイヤルのＤ針をニットし、Ｂ針、Ｃ針、Ｅ針をウエルトする。
【００３５】
第７フィーダと第８フィーダの間でシリンダーとダイヤルの羽口の間から中糸を挿入する。
【００３６】
第９フィーダでは、シリンダー側において、バックグラウンド組織を編む箇所はシリンダーのＤ針、Ｅ針をニットし、Ｂ針、Ｃ針をウエルトする。また、ジャガード組織を編む箇所はシリンダーの全ての針をウエルトする。一方、ダイヤル側において、バックグラウンド組織及びジャガード組織のいずれもダイヤルのＢ針、Ｅ針をニットし、Ｃ針、Ｄ針をウエルトする。
【００３７】
第１０フィーダでは、シリンダー側において、バックグラウンド組織を編む箇所はシリンダーの全ての針をウエルトする。また、ジャガード組織を編む箇所はシリンダーのＢ針、Ｄ針をニットし、Ｃ針、Ｅ針をウエルトする。一方、ダイヤル側において、バックグラウンド組織及びジャガード組織のいずれもダイヤルのＢ針をニットし、Ｃ針、Ｄ針、Ｅ針をウエルトする。
【００３８】
第９フィーダと第１０フィーダの間でシリンダーとダイヤルの羽口の間から中糸を挿入する。
【００３９】
第１１フィーダでは、シリンダー側において、バックグラウンド組織を編む箇所はシリンダーのＢ針、Ｃ針をニットし、Ｄ針、Ｅ針をウエルトする。また、ジャガード組織を編む箇所はシリンダーの全ての針をウエルトする。一方、ダイヤル側において、バックグラウンド組織及びジャガード組織のいずれもダイヤルのＣ針、Ｄ針をニットし、Ｂ針、Ｅ針をウエルトする。
【００４０】
第１２フィーダでは、シリンダー側において、バックグラウンド組織を編む箇所はシリンダーの全ての針をウエルトする。また、ジャガード組織を編む箇所はシリンダーのＢ針、Ｅ針をニットし、Ｃ針、Ｄ針をウエルトする。一方、ダイヤル側において、バックグラウンド組織及びジャガード組織のいずれもダイヤルのＣ針をニットし、Ｂ針、Ｄ針、Ｅ針をウエルトする。
【００４１】
第１１フィーダと第１２フィーダの間でシリンダーとダイヤルの羽口の間から中糸を挿入する。
【００４２】
第１３フィーダでは、シリンダー側において、バックグラウンド組織を編む箇所はシリンダーのＣ針、Ｄ針をニットし、Ｂ針、Ｅ針をウエルトする。また、ジャガード組織を編む箇所はシリンダーの全ての針をウエルトする。一方、ダイヤル側において、バックグラウンド組織及びジャガード組織のいずれもダイヤルのＤ針、Ｅ針をニットし、Ｂ針、Ｃ針をウエルトする。
【００４３】
第１４フィーダでは、シリンダー側において、バックグラウンド組織を編む箇所はシリンダーの全ての針をウエルトする。また、ジャガード組織を編む箇所はシリンダーのＣ針、Ｅ針をニットし、Ｂ針、Ｄ針をウエルトする。一方、ダイヤル側において、バックグラウンド組織及びジャガード組織のいずれもダイヤルのＥ針をニットし、Ｂ針、Ｃ針、Ｄ針をウエルトする。
【００４４】
第１３フィーダと第１４フィーダの間でシリンダーとダイヤルの羽口の間から中糸を挿入する。
【００４５】
第１５フィーダでは、シリンダー側において、バックグラウンド組織を編む箇所はシリンダーのＢ針、Ｅ針をニットし、Ｃ針、Ｄ針をウエルトする。また、ジャガード組織を編む箇所はシリンダーの全ての針をウエルトする。一方、ダイヤル側において、バックグラウンド組織及びジャガード組織のいずれもダイヤルのＢ針、Ｃ針をニットし、Ｄ針、Ｅ針をウエルトする。
【００４６】
第１６フィーダでは、シリンダー側において、バックグラウンド組織を編む箇所はシリンダー全ての針をウエルトする。また、ジャガード組織を編む箇所はシリンダーのＤ針、Ｅ針をニットし、Ｂ針、Ｃ針をウエルトする。一方、ダイヤル側において、バックグラウンド組織及びジャガード組織のいずれもダイヤルのＢ針をニットし、Ｃ針、Ｄ針、Ｅ針をウエルトする。
【００４７】
第１５フィーダと第１６フィーダの間でシリンダーとダイヤルの羽口の間から中糸を挿入する。
【００４８】
以後は、第1フィーダから第１６フィーダの編成方法を繰り返す。
【００４９】
なお、以上の例では希望するジャガード柄（バックグラウンド組織及びジャガード組織からなる）をシリンダー側に出現させているのでジャガード組織におけるシリンダー針の選針が上記に限定されるものではない。また、ジャガード柄をダイヤル側に出現させてもよい。また、柄の左右を反転させてもよい。
【００５０】
図３ａは実施例１のバックグラウンド組織に基づいて編成した編地をシリンダー側とダイヤル側から見た柄展開図を示している。図３ｂは実施例１のバックグラウンド組織（BG）及びジャガード組織（J）に基づいて編成した編地をシリンダー側とダイヤル側から見た柄展開図を示している。図３ｂのジャガード組織の位置は、図２ａに記載したジャガード組織の位置に対応している。
【００５１】
図４は、実施例１の第１フィーダから第４フィーダまでの４本の糸を重ね合わせた３色ジャガード組織をシリンダー側に出現させた編地の分解図である。
【００５２】
この実施例１の編地は、柄展開図に見られるように変則的な綾柄によって織物のようにコシが得られ、手触り感もしっかりした編組織で、手触りの柔らかいソフトな編地でマットレス・ティッキング用ジャカード編地には最適なものであった。
[比較例１]
【００５３】
図５ａ，５ｂは比較例１のバックグラウンド組織の編地分解図を示し、比較例１は実施例１の第２，４，６，８，１０，１２，１４，１６フィーダにおいてダイヤル針を１針ウエルト、１針ニットの繰り返しとし、その他の箇所では実施例１と同様に編成した編地である。
【００５４】
次に実施例１の編地と比較例１の編地の評価を表にして示す。
【表１】
2018061632.tif 000003
【実施例２】
【００５５】
図７は実施例１のバックグランド組織を変形させた実施例２である。この方法は、少なくとも４フィーダで１リピートを構成する編組織であって、
(i)第１、３フィーダではコース方向に編糸を、シリンダー針で２針連続してニットし１針ウエルトして、ダイヤル側に移しダイヤル針で２針連続してニットし、以下繰り返す。
(ii)第２、４フィーダではコース方向に編糸を、ジャガード組織が表現されるシリンダー側と対向するダイヤル側のダイヤル針で１針ニットし３針ウエルトし、以下を繰り返す。
前記(i)(ii)を有するマットレス・ティッキング用ジャカード編地のバックグラウンド組織の製造方法である。
【００５６】
この実施例２でも、実施例1と同様に、織物のようにコシのあり、編み組織がしっかりした伸縮性のあるソフトで手触りの柔らかい編地が得られる。
【図１ａ】
2018061632.tif 000004
【図１ｂ】
2018061632.tif 000005
【図２ａ】
2018061632.tif 000006
【図２ｂ】
2018061632.tif 000007
【図３ａ】
2018061632.tif 000008
【図３ｂ】
2018061632.tif 000009
【図４】
2018061632.tif 000010
【図５ａ】
2018061632.tif 000011
【図５ｂ】
2018061632.tif 000012
【図６ａ】
2018061632.tif 000013
【図６ｂ】
2018061632.tif 000014
【図７】
2018061632.tif 000015